(57)【要約】【課題】シュレッダーについて、コストアップをきたすことのない簡潔構成で要部の剛性増強をはかり、それによって共振や振動音を効果的に低減させることのできるものを提供する。【解決手段】カッター部１１と、そのカッター部１１で裁断された廃棄物を受け入れるための受容部２１とを有するシュレッダーにおいて、受容部２１が背面部材２６とこれに連結された側面部材２８・２９とを備え、これら背面部材２６・側面部材２８・２９にリブ２７・２９・３１が形成されている。【選択図】    図２
2005230702.tif 000002
【特許請求の範囲】
【請求項１】
カッター部と、そのカッター部で裁断された廃棄物を受け入れるための受容部とを有するシュレッダーにおいて、受容部が背面部材とこれに連結された側面部材とを備え、これら背面部材・側面部材にリブが形成されていることを特徴とするシュレッダー。
【請求項２】
背面部材と側面部材とのうちのいずれか一方または両方に複数のリブが形成されており、その複数のリブが、これらを有する所定部材の幅方向にわたり間欠的に並んでいる請求項１記載のシュレッダー。
【請求項３】
背面部材の一部および側面部材の一部を凹ませることでそれぞれのリブが背面部材・側面部材と一体的に形成されている請求項１〜２いずれかに記載のシュレッダー。
【請求項４】
それぞれのリブが背面部材・側面部材の各表面から直角方向に凹んで形成されている請求項１〜２いずれかに記載のシュレッダー。
【請求項５】
それぞれリブが背面部材・側面部材の各表面からシュレッダー内部に向かう凹みからなり、当該凹みがそれぞれの部材の厚みの３／１０以上の深さで形成されている請求項１〜４いずれかに記載のシュレッダー。
【請求項６】
背面部材における各リブ幅の合計が背面部材の全幅の３／１０以上を占めるものであり、側面部材における各リブ幅の合計が側面部材の全幅の３／１０以上を占めるものである請求項１〜５いずれかに記載のシュレッダー。
【請求項７】
背面部材における各リブが背面部材の高さの８／１０以上の長さを有するものであり、側面部材における各リブが側面部材の高さの８／１０以上の長さを有するものである請求項１〜６いずれかに記載のシュレッダー。
【請求項８】
側面部材および背面部材が合成樹脂で形成されている請求項１〜７いずれかに記載のシュレッダー。
【請求項９】
合成樹脂がポリプロピレンである請求項８記載のシュレッダーで。
【請求項１０】
共振時における振動を低減するための振動抑制剤が合成樹脂に混合されている請求項８〜９いずれかに記載のシュレッダー。
【請求項１１】
振動抑制剤がタルクである請求項１０記載のシュレッダー。
【発明の詳細な説明】
【技術分野】
【０００１】
本発明は紙・フィルム・シートなどのうちで不要となったもの（以下被切断物という）を細かく切断処理するためのシュレッダーであってこれを改良したものに関する。
【背景技術】
【０００２】
不要な紙類など被切断物を細かく切断処理するための手段としてシュレッダーが広く採用されている。シュレッダーについては種々の観点から改良が施されている。けれども運転時に発生する振動の抑制やこれに起因した振動騒音の防止に関していえば、比較的新しいタイプのシュレッダーにも技術的に改善すべき余地が残されている。
【０００３】
ちなみに典型的なシュレッダーについていうと、これは上位の切断用カッター部と下位の切断廃棄物用受容部とが組み合わされたものである。さらにいうと、共振現象を誘因しやすい容器構造の受容部は金属板製のもので、背面部や両側面部が一連に形成されていたりする（特許文献１参照）。この一連の金属板からなるシュレッダー受容部は剛性が低いこともあってカッターの回転にともなう振動との共振点で大きな振動が発生する。振動は自明のとおり、使用者に不快感を与えたり周囲に騒音をまき散らしたりするので、できるかぎり低減することが望ましい。
【０００４】
その対策としてシュレッダー受容部の剛性を高めることが考えられる。具体的には、受容部にリブを形成して剛性を高めることも有効対策の一つといえる。しかしながら背面部や両側面部が一連であるところの金属板製受容部については、金属の成形加工において複数の立体面にリブ形成するのが技術的に困難なため、リブが存在しないとか補強に十分なリブ形状でないとかいうのが現状である。
【０００５】
ゆえに現状では、たとえば消音ローラーなど別の部材を設けることで、振動による騒音を抑制したりしている（特許文献２参照）。けれども消音ローラーの増設は、設計仕様の大幅改変・部品数の増加・組立手数の増加・重量増・構造の膨張・コストアップなど課題を解決する上で多くの不利を強いられる。
【特許文献１】特開平０５−２７７３９２号公報
【特許文献２】特開平０８−０５０９９１号公報
【発明の開示】
【発明が解決しようとする課題】
【０００６】
本発明はこのような技術課題を解決するため、コストアップをきたすことのない簡潔構成で要部の剛性増強をはかり、それによって共振や振動音を効果的に低減させることのできるシュレッダーを提供しようとするものである。
【課題を解決するための手段】
【０００７】
本発明の請求項１に記載されたシュレッダーは所期の目的を達成するために下記の課題解決手段を特徴とする。すなわち請求項１に記載されたシュレッダーは、カッター部と、そのカッター部で裁断された廃棄物を受け入れるための受容部とを有するシュレッダーにおいて、受容部が背面部材とこれに連結された側面部材とを備え、これら背面部材・側面部材にリブが形成されていることを特徴とする。
【０００８】
本発明の請求項２に記載されたシュレッダーは、請求項１記載のものにおいて、背面部材と側面部材とのうちのいずれか一方または両方に複数のリブが形成されており、その複数のリブが、これらを有する所定部材の幅方向にわたり間欠的に並んでいることを特徴とする。
【０００９】
本発明の請求項３に記載されたシュレッダーは、請求項１〜２いずれかに記載のものにおいて、背面部材の一部および側面部材の一部を凹ませることでそれぞれのリブが背面部材・側面部材と一体的に形成されていることを特徴とする。
【００１０】
本発明の請求項４に記載されたシュレッダーは、請求項１〜３いずれかに記載のものにおいて、それぞれのリブが背面部材・側面部材の各表面から直角方向に凹んで形成されていることを特徴とする。
【００１１】
本発明の請求項５に記載されたシュレッダーは、請求項１〜４いずれかに記載のものにおいて、それぞれリブが背面部材・側面部材の各表面からシュレッダー内部に向かう凹みからなり、当該凹みがそれぞれの部材の厚みの３／１０以上の深さで形成されていることを特徴とする。
【００１２】
本発明の請求項６に記載されたシュレッダーは、請求項１〜５いずれかに記載のものにおいて、背面部材における各リブ幅の合計が背面部材の全幅の３／１０以上を占めるものであり、側面部材における各リブ幅の合計が側面部材の全幅の３／１０以上を占めるものであることを特徴とする。
【００１３】
本発明の請求項７に記載されたシュレッダーは、請求項１〜６いずれかに記載のものにおいて、背面部材における各リブが背面部材の高さの８／１０以上の長さを有するものであり、側面部材における各リブが側面部材の高さの８／１０以上の長さを有するものであることを特徴とする。
【００１４】
本発明の請求項８に記載されたシュレッダーは、請求項１〜７いずれかに記載のものにおいて、側面部材および背面部材が合成樹脂で形成されていることを特徴とする。
【００１５】
本発明の請求項９に記載されたシュレッダーは、請求項１〜８いずれかに記載のものにおいて、合成樹脂がポリプロピレンであることを特徴とする。
【００１６】
本発明の請求項１０に記載されたシュレッダーは、請求項８〜９いずれかに記載のものにおいて、共振時における振動を低減するための振動抑制剤が合成樹脂に混合されていることを特徴とする。
【００１７】
本発明の請求項１１に記載されたシュレッダーは、請求項１０記載のものにおいて、振動抑制剤がタルクであることを特徴とする。
【発明の効果】
【００１８】
本発明に係るシュレッダーで受容部は、一連のものでない背面部材・側面部材・その他を組み立てることで構成され、しかも、これらの部材にリブが形成されている。このリブは背面部材や側面部材の剛性を高めるものであるから、カッターが回転で振動したとしても背面部材や側面部材の共振が起こりがたく、これに起因した振動音も抑制ないし防止される。この種のリブは構成が簡潔であるから剛性増強のための手段としてきわめて有利である。何の条件も制約もないとき、背面部材や側面部材のリブは単数よりも複数であることが望ましい。それはリブの数が増えることで背面部材や側面部材の剛性がより向上するからである。
【００１９】
代表的な一例として、リブは背面部材や側面部材の一部を表面から内部に向けて凹ませることにより形成される。これはリブが面部材や側面部材と一体的に形成されるということである。一体形成型のリブは、別体のものを付着させてリブ形成する場合と比べ、成形加工が容易で高強度でもある。この場合の凹みは、それぞれ背面部材・側面部材の厚みの３／１０以上の深さであることが望ましく、こうすることで十分な剛性を確保することができる。さらにいうと、リブの幅や長さにも適正値がある。それは背面部材の場合において、各リブ幅の合計が背面部材の全幅の３／１０以上で、各リブの長さが背面部材の高さの８／１０以上というものである。側面部材の各リブも数値的にはこれと同様である。これらの条件を満たすとき、リブは加工易度を保持しながら背面部材や側面部材に対してより高度の剛性を付与するものとなり、凹みによる吸音効果も増す。
【００２０】
受容部の側面部材や背面部材が合成樹脂製というときは、これらの部材が独立していることもあってリブ付き部材の成形加工が容易となり、リブの成形自由度も増す。なかでもポリプロピレン製の側面部材や背面部材は、小比重・耐熱性・非吸湿性・耐薬品性・加工性などの点で望ましく、機械的特性のバランスもよい。合成樹脂製の側面部材や背面部材において、これらに振動抑制剤が混合されている場合は共振などの振動がさらに起こりがたくなる。その振動抑制剤がタルクであると、カッター回転で発生する波長域の振動に対し共振防止効果をよく発揮する。
【００２１】
本発明に係るシュレッダーは上記で明らかなように、設計仕様を大幅に改変したり部品数を増加したりすることなく受容部の共振を抑制ないし防止し、それで振動音を低減するのであるから、静音性能の高いシュレッダーについて、組立手数の増加・重量増・構造の膨張などを回避して低コストのものを提供することができる。
【発明を実施するための最良の形態】
【００２２】
本発明に係るシュレッダーの実施形態について添付図面を参照して詳細に説明する。
【００２３】
図１〜図３に例示されたシュレッダーにおいて、１１はカッター部を示し、２１は受容部を示す。
【００２４】
図１〜図３に示されているところのカッター部１１は、電動機（モーター）・伝動系・回転式カッター・操作手段（制御手段）・電気系統などがハウジング１２をベースにして組付装備されたものである。これらのうちで、周面に多数の刃を有する一対の回転式カッター１３はハウジング１２内において図３のごとく回転自在に支持されており、しかも電動機（図示せず）からの動力伝達を受けるために、歯車などの伝動系１４を介して電動機の出力側と連繋されている。ハウジング１２におけるカッター１３の上部側には被切断物用の投入口１５があり、ハウジング１２におけるカッター１３の下部側には裁断廃棄物ための排出口１６がある。ハウジング１２の上面には、図１〜図２のようにシュレッド操作用のボタン１７やシュレッドリセット用のボタン１８が配設されている。ハウジング１２の背面には、図２のとおり、電気コードを差し込むためのコンセント１９が配設されている。カッター部１１に関するこれ以外の部品や部材も、周知の手段でハウジング１２の内部や外面などに装備される。
【００２５】
上述したハウジング１２は一例として合成樹脂からなる。その場合の合成樹脂は後述する受容部２１と同じものである。
【００２６】
図１〜図３における受容部２１は、正面部材２２・背面部材２６・二つ（左右）の側面部材２８・３０・底面部材３２など、互いに独立した複数の部材を備え、これらが受容器構造に組み立てられたものである。
【００２７】
正面部材２２は図１で明らかなように四角いパネル形状をしている。正面部材２２は中央部のやや上位側に透視窓２３を有していたり、この透視窓２３の上部側に凹み形状の引手２４を有していたりする。正面部材２２は、また、これの内面に付設された容器形状のダストボックス２５をも有するものである。
【００２８】
背面部材２６も図２で明らかなように四角いパネル形状をしている。背面部材２６の表面には上下方向に長い複数本のリブ２７を有するものであり、これらのリブ２７が背面部材２６の幅方向に間隔をおいて並んでいる。具体的には背面部材２６の表面を凹ませることにより各リブ２７が形成されている。ちなみに、リブ２７の凹みの深さを［ｄ］、リブ２７の長さを［ｌ］、各リブ２７の合計幅を［ｈ］とし、背面部材２６の厚みを［ｔ］、背面部材２６の高さを［Ｌ］、背面部材２６の全幅を［Ｈ］とした場合、各リブ２７はつぎのような数値に設定される。なお、この場合の背面部材２６の厚みｔは背面部材２６の断面肉厚をいうのでなく、背面部材２６の前後方向にわたる寸法（奥行き）をいう。
［ｄ］≧［（３／１０）×ｔ］  ……  （１）
通常は［（７／１０）×ｔ］≧［ｄ］≧［（４／１０）×ｔ］の範囲内で各リブ２７のｄを設定する。
［ｌ］≧［（８／１０）×Ｌ］  ……  （２）
通常は［（９／１０）×Ｌ］≧［ｄ］≧［（８／１０）×Ｌ］の範囲内で各リブ２７のｌを設定する。
［ｈ］≧［（３／１０）×Ｈ］  ……  （３）
通常は［（７／１０）×Ｈ］≧［ｄ］≧［（４／１０）×Ｈ］の範囲内で各リブ２７のｈを設定する。
【００２９】
左右の側面部材２８・３０も図１〜図２で明らかな四角いパネル形状をしている。両側面部材２８・３０の表面も、また、上下方向に長いリブ２９・３１を有するものである。それぞれのリブ２９・３１は左側面部材２８や右側面部材３０に対し一つあてであるが、背面部材２６の場合と同様、複数の各リブ２９・３１が左側面部材２８や右側面部材３０に設けられても構わない。このような各リブ２９・３１も既述のとおり、左側面部材２８や右側面部材３０の表面を凹ませることで形成される。さらに、各リブ２９・３１における凹みの深さ［ｄ］、長さ［ｌ］、リブ合計幅［ｈ］なども、側面部材２８・３０の厚みを［ｔ］、高さを［Ｌ］、全幅を［Ｈ］とした場合に、下記のように設定される。
［ｄ］≧［（３／１０）×ｔ］  ……  （４）
通常は［（７／１０）×ｔ］≧［ｄ］≧［（４／１０）×ｔ］の範囲内で各リブ２９・３１のｄを設定する。
［ｌ］≧［（８／１０）×Ｌ］  ……  （５）
通常は［（９／１０）×Ｌ］≧［ｄ］≧［（８／１０）×Ｌ］の範囲内で各リブ２９・３１のｌを設定する。
［ｈ］≧［（３／１０）×Ｈ］  ……  （６）
通常は［（７／１０）×Ｈ］≧［ｄ］≧［（４／１０）×Ｈ］の範囲内で各リブ２９・３１のｈを設定する。
【００３０】
底面部材３２も図１〜図３から理解できる四角いパネル形状のものである。この底面部材３２には四隅部に周知のキャスター３３が取り付けられている。
【００３１】
上述した正面部材２２・背面部材２６・左右の側面部材２８・３０・底面部材３２は合成樹脂からなるプラスチック成形品である。とくに合成樹脂の種類は問わないが、代表的な一例として、これらの各部材は軽量で機械的特性のバランスがよいポリプロピレン樹脂からなる。さらにいえば、これら部材用の樹脂は振動抑制剤を含んでいるのがよい。しかも振動抑制剤としてはタルクが有望である。したがって、代表的な一例におけるこれら各部材はタルクの混合されたポリプロピレン樹脂からなる。この場合のタルクは樹脂組成物１００質量部に対して２〜１００質量部望ましくは５〜４０質量部とする。前述したカッター部１１のハウジング１２も、通常はこのよう合成樹脂で成形される。ただし、正面部材２２の透視窓２３は透明な合成樹脂（周知）からなる。
【００３２】
正面部材２２・背面部材２６・左右の側面部材２８・３０・底面部材３２はつぎのようにして組み立てられたり組み合わされたりする。背面部材２６と両側面部材２８・３０は平面コ字形をなすようにこれらの側端部が突き合わされ、ボルト・その他の止具を用いた固定手段（周知）によりコ字形連結される。コ字形に連結された左側面部材２８・背面部材２６・右側面部材３０は、これらの下端部が底面部材３２の左側縁・後側縁・右側縁にそれぞれあてがわれ、これもボルト・その他の止具を用いた固定手段で連結される。こうして組み立てられたものは正面と平面（上面）とが開放されているが、その正面の上部においては、帯状部材３４が両側面部材２８・３０にわたって架設される。かくて組み立てられたものが受容部２１の本体であり、これには図１のごとく、ダストボックス２５を有する正面部材２２が脱着自在に組み合わされる。したがって正面部材２２は、受容部２１の正面を開閉するための部材であるほか、ダストボックス２５の保持部材でもある。
【００３３】
カッター部１１と受容部２１は図１〜図３のごとく、カッター部１１を上、受容部２１を下にして組み立てられる。具体的にはカッター部１１の下部を受容部２１の上面開口内に嵌め込み、このときの両者の重なり部を前記止具（周知）で固定することにより連結される。このとき受容部２１内に突出している各リブ２７・２９・３１の上端部がカッター部１１を安定に支持する。かくてシュレッダーが構成される。
【００３４】
本発明に係るシュレッダーを用いて被切断物を切断するときは、通電状態におけるボタン１７の操作でカッター１３を切断可能状態にスタンバイさせ、被切断物を揃えて投入口１５に差し込む。このようにすると、自動的にカッター１３が回転して被切断物を切断する。裁断されたものは廃棄物となって排出口１６よりダストボックス２５内に落下する。ダストボックス２５が満杯になれば、これを正面部材２２とともに受容部２１から引き出して廃棄物を適当に廃棄処分する。
【００３５】
上記にようにして被切断物を切断するとき、背面部材２６・側面部材２８・３０の各リブ２７・２９・３１とか、これらの部材の材質に依存して受容部２１側の振動が抑制ないし防止される。したがってシュレッダーとして静音性能が高いものとなる。
【産業上の利用可能性】
【００３６】
本発明に係るシュレッダーは、運転時における振動抑制・振動防止の点で優れた効果を発揮するから、業務用・家庭用のいずれであってもユーザーに不快感を与えず、周辺にも悪影響を及ぼさない。したがって有用性が高いものである。
【図面の簡単な説明】
【００３７】
【図１】本発明に係るシュレッダーの一実施形態を示した正面斜視図である。
【図２】図１のシュレッダーの背面斜視図である。
【図３】図１のシュレッダーの要部縦断面図である。
【符号の説明】
【００３８】
１１  カッター部
１２  カッター部のハウジング
１３  カッター
２１  受容部
２２  正面部材
２６  背面部材
２７  リブ
２８  側面部材
２９  リブ
３０  側面部材
３１  リブ
【図１】
2005230702.tif 000003
【図２】
2005230702.tif 000004
【図３】
2005230702.tif 000005